(57)【特許請求の範囲】
【請求項１】
シューズであって、
踵部外側から足裏側を通って踵部内側にかけて配置されている踵側サポートライン部を含み、
前記踵側サポートライン部は、弾性部材であり、
前記踵側サポートライン部は、
その外側端部は、外果前端より後方、かつ、外果最突出点を通る仮想鉛直線と踵骨後端を通る仮想鉛直線の中間を通る仮想鉛直線より前方、かつ、外果下端より下方の領域内に配置され、
その内側端部は、第一中足骨頭より後方、かつ、内果前端より前方、かつ、内果下端より下方の領域内に配置され、
前記踵側サポートライン部は、弾性力によって、足を回内方向に回転させる力を少なくとも踵部に付与可能であることを特徴とするシューズ。
【請求項２】
さらに、前足部内側前方から甲部を通って前足部外側後方にかけて配置されている前足部側サポートライン部を含み、
前記前足部側サポートライン部は、弾性部材であり、
前記前足部側サポートライン部は、
その内側端部は、第一基節骨の長軸方向の中点より後方、かつ、第一中足骨頭後端より前方の領域内で、少なくとも先端部が足裏側に結合されるように配置され、
その外側端部は、第五中足骨の長軸方向の中点より後方、かつ、立方骨近位端より前方、かつ、第四中足骨内側縁より外側の領域内に配置され、
前記前足部側サポートライン部は、弾性力によって、足の外側後方から内側前方に向けてかかる力を少なくとも前足部に付与可能であることを特徴とする請求項１記載のシューズ。
【請求項３】
前記前足部側サポートライン部の内側端部は、前記シューズに固定され、
前記前足部側サポートライン部の外側端部は、前記シューズに着脱可能となっていることを特徴とする請求項２記載のシューズ。
【請求項４】
前記前足部側サポートライン部の外側端部は、前記シューズへの着脱位置が調整可能となっていることを特徴とする請求項２又は３記載のシューズ。
【請求項５】
前記前足部側サポートライン部が、前記シューズの甲布の下側を通っていることを特徴とする請求項２から４のいずれか一項に記載のシューズ。
【請求項６】
前記踵側サポートライン部の外側端部は、前記シューズに固定され、
前記踵側サポートライン部の内側端部は、前記シューズに着脱可能となっていることを特徴とする請求項１から５のいずれか一項に記載のシューズ。
【請求項７】
前記踵側サポートライン部の内側端部は、前記シューズへの着脱位置が調整可能となっていることを特徴とする請求項１から６のいずれか一項に記載のシューズ。
【請求項８】
前記踵側サポートライン部が、前記シューズの上部構造体とソールとの間を通っていることを特徴とする請求項１から７のいずれか一項に記載のシューズ。
【請求項９】
前記シューズが、ランニング用シューズであることを特徴とする請求項１から８のいずれか一項に記載のシューズ。
【発明の詳細な説明】
【技術分野】
【０００１】
本発明は、シューズに関する。
【背景技術】
【０００２】
従来から、例えばランニング等のスポーツ時において、足にかかる負担を軽減したり、足の動きをサポートしたりするための種々のシューズが使用されている。例えば、下記特許文献１では、胛被の内側部および外側部に支持帯を設け、内外側の支持帯を緊締手段で引き締め自在にしたことを特徴とするランニングシューズが提案されている。この特許文献１記載のシューズは、足に起こる回外作用および回内作用を促進して加速を付与するものである。また、下記特許文献２では、踵部位に、波形状の振幅が踵周縁側に向かうにしたがい大きくなっているウェーブプレートと、前記ウェーブプレートの下面に配置された弾性部材製の複数の柱部材とを備え、前記柱部材の上面は、踵周縁側に向かうにしたがい下面からの高さが低くなる傾斜面を有しているスポーツ用シューズのソール構造体が提案されている。この特許文献２記載のソール構造体は、踵部の部材および形状を工夫して、着地時の踵の安定性を確保しようとするものである。
【先行技術文献】
【特許文献】
【０００３】
【特許文献１】特開２００３−０２４１０８号公報
【特許文献２】特開２００９−１１８９３６号公報
【発明の概要】
【発明が解決しようとする課題】
【０００４】
本発明者らは、さらにランニング等に適したシューズを開発するために研究を進めたところ、走行時および歩行時には、後述のように、足に左右方向への力がかかることがわかった。このように、走行および歩行時に、足に左右方向への力がかかって足が左右にぶれると、走行および歩行の効率が悪くなるとともに、関節および筋肉への負担が大きくなるため、足の動きを改善して足の左右へのぶれを軽減する必要がある。しかし、前記特許文献１記載のシューズは、足のぶれを解消するのではなく、足の回外および回内運動を促進するため、関節および筋肉への負担が大きくなる可能性がある。また、前記特許文献２記載のソール構造体は、踵部の部材および形状の工夫によって着地後に踵の横ぶれを抑制するものであるが、着地前の足の動きを改善するものではないため、走行および歩行に理想的な足の動きを提供できない。このように、従来のシューズには、走行および歩行時の一連の足の動きを改善して足の左右ぶれを軽減できるものはなかった。【０００５】
そこで、本発明は、走行および歩行時の一連の足の動きを改善して足の左右へのぶれを軽減するシューズを提供することを目的とする。
【課題を解決するための手段】
【０００６】
前記目的を達成するために、本発明のシューズは、
踵部外側から足裏側を通って踵部内側にかけて配置されている踵側サポートライン部を含み、
前記踵側サポートライン部は、弾性部材であり、
前記踵側サポートライン部は、
その外側端部は、外果前端より後方、かつ、外果最突出点を通る仮想鉛直線と踵骨後端を通る仮想鉛直線の中間を通る仮想鉛直線より前方、かつ、外果下端より下方の領域内に配置され、
その内側端部は、第一中足骨頭より後方、かつ、内果前端より前方、かつ、内果下端より下方の領域内に配置され、
前記踵側サポートライン部は、弾性力によって、足を回内方向に回転させる力を少なくとも踵部に付与可能であることを特徴とする。
【発明の効果】
【０００７】
本発明のシューズは、上記のような構成であるため、走行および歩行時の一連の足の動きを改善して足の左右へのぶれを軽減することができる。
【図面の簡単な説明】
【０００８】
【図１】図１は、本発明の第１の実施形態に係るシューズ１００を示す図である。図１（ａ）は、シューズ１００の外側面図、図１（ｂ）は、シューズ１００の内側面図、図１（ｃ）は、シューズ１００を底部側から見た図、図１（ｄ）は、シューズ１００を踵側から見た図である。
【図２】図２（ａ）および図２（ｂ）は、人体の右足の骨格を模式的に表した図である。
【図３】図３（ａ）および図３（ｂ）は、前記第１の実施形態における踵側サポートライン部の作用を説明するための、足の状態を後方から見た図である。
【図４】図４は、前記第１の実施形態に係るシューズ１００を着用して走行または歩行した際の足の動きを説明する図である。
【図５】図５（ａ）および図５（ｂ）は、前記第１の実施形態における踵側サポートライン部の配置を説明するための図である。
【図６】図６は、前記第１の実施形態における踵側サポートライン部の内側端部の拡大図である。
【図７】図７（ａ）および図７（ｂ）は、踵側サポートライン部のバリエーションを示す図である。
【図８】図８は、本発明の第２の実施形態に係るシューズ２００を示す図である。図８（ａ）は、シューズ２００の外側面図、図８（ｂ）は、シューズ２００の内側面図、図８（ｃ）は、シューズ２００を上方向から見た図、図８（ｄ）は、シューズ２００を底部側から見た図である。
【図９】図９（ａ）および図９（ｂ）は、人体の右足の骨格を模式的に表した図である。
【図１０】図１０（ａ）および図１０（ｂ）は、前記第２の実施形態における前足部側サポートライン部の作用を説明するための図である。
【図１１】図１１は、前記第２の実施形態に係るシューズ２００を着用して走行または歩行した際の足の動きを説明する図である。
【図１２】図１２（ａ）および図１２（ｂ）は、前記第２の実施形態における前足部側サポートライン部の配置を説明するための図である。
【図１３】図１３（ａ）および図１３（ｂ）は、前記第２の実施形態における前足部側サポートライン部の内側端部の配置のその他の例を示す図である。
【図１４】図１４は、前記第２の実施形態における前足部側サポートライン部の外側端部の拡大図である。
【図１５】図１５（ａ）および図１５（ｂ）は、前足部側サポートライン部のバリエーションを示す図である。
【図１６】図１６は、本発明の第３の実施形態に係るシューズ３００を示す図である。図１６（ａ）は、シューズ３００の外側面図、図１６（ｂ）は、シューズ３００の内側面図、図１６（ｃ）は、シューズ３００を上方向から見た図である。
【図１７】図１７は、着用評価の結果を示すグラフである。
【図１８】図１８は、着用評価の結果を示すグラフである。
【図１９】図１９は、着用評価の結果を示すグラフである。
【図２０】図２０は、着用評価の結果を示すグラフである。
【図２１】図２１は、着用評価の結果を示すグラフである。
【図２２】図２２は、通常の走行時の足の動きを説明する図である。
【発明を実施するための形態】
【０００９】
ここで、走行時の足の動きについて説明する。図２２左側の図は、通常の走行時の足にかかる左右方向への力を白抜き矢印で示しており、同図においてＡからＤで示す各箇所に対応する、後方から見た足の状態を、図２２右側のＡからＤに示している。図２２右側のＡからＤにおいて、それぞれ、左側は、後方から見た足の状態を示す写真であり、右側は、左側の写真を模式的に表した図である。通常、走行時において、足の動きは、まず、踵の外側から着地し（図２２右側にＡで示す状態）、次に回内しながら踵全体が接地し、内側に足が倒れこみ（図２２右側にＢで示す状態）、次に足に回外方向の力がかかりながら荷重が前方に移動し（図２２右側にＣで示す状態）、最後に足の親指で蹴りだす（図２２右側にＤで示す状態）という動きになる。このように、走行時には足が左右にぶれる。なお、歩行時においても、走行時より程度は小さいが、同様に、足の左右方向へのぶれが生じる。
【００１０】
以下に、本発明のシューズについて、例をあげて説明する。ただし、本発明は、以下の例に限定および制限されない。なお、下記図１〜図２２において、同一部分には同一の符号を付している。本発明において、位置を表す表現は、着用時、立位時を基準としている。また、骨を用いて特定している位置、領域は、対応するシューズにおける位置、領域である。
【００１１】
（第１の実施形態）
図１に、本発明の第１の実施形態に係るシューズ１００を示す。本実施形態のシューズ１００は、ランニングシューズである。図１（ａ）は、シューズ１００の外側面図であり、図１（ｂ）は、シューズ１００の内側面図であり、図１（ｃ）は、シューズ１００を底部側から見た図である。図１（ａ）〜（ｃ）に示すように、本実施形態のシューズ１００は、踵側サポートライン部１０１を含む。なお、図１（ｃ）では、踵側サポートライン部１０１の配置がわかるように、ソール１０４を破線で簡略化して表している。
【００１２】
図１（ａ）〜（ｃ）に示すように、本発明において、踵側サポートライン部１０１は、踵部外側から足裏側を通って踵部内側にかけて配置されている。ここで、「踵部外側」、「足裏側」および「踵部内側」とは、身体の部位を基準としており、「外側」とは、足の小指側をいい、「内側」とは、足の親指側をいう。図２に人体の右足の骨格を模式的に表した図を示し、踵側サポートライン部１０１の位置を具体的に説明する。図２（ａ）は、人体の右足の骨格を外側から見た図であり、図２（ｂ）は、内側から見た図である。本発明において、踵側サポートライン部１０１の外側端部１０１Ａは、外果前端Ｓより後方、かつ、外果最突出点Ｔを通る仮想鉛直線（ｉ）と踵骨後端を通る仮想鉛直線（ｉｉ）の中間を通る仮想鉛直線（ｉｉｉ）より前方、かつ、外果下端Ｕより下方の領域Ｒ１内に配置される。また、踵側サポートライン部１０１の内側端部１０１Ｂは、第一中足骨頭Ｑより後方(第一中足骨頭を含まない)、かつ、内果前端Ｍより前方、かつ、内果下端Ｎより下方の領域Ｒ２内に配置される。そして、本発明において、踵側サポートライン部１０１は、弾性部材であり、弾性力によって、足を回内方向に回転させる力を少なくとも踵部に付与可能である。
【００１３】
前記足を回内方向に回転させる力は、以下のようにして生じる。踵側サポートライン部１０１の外側端部１０１Ａをシューズ１００に取り付け、内側に向けて引っ張って伸ばした状態で内側端部１０１Ｂをシューズ１００に取り付ける。内側端部１０１Ｂは、外側端部１０１Ａに比べて足関節中心から離れて位置している。そのため、力のモーメントの関係より、踵側サポートライン部１０１には、図１（ｄ）に矢印Ｅ１で示すように外側端部１０１Ａ方向に向けて元に戻ろうとする弾性力が生じ、この弾性力が、足を回内方向に回転させる力となる。なお、図１（ｄ）は、右足用のシューズ１００を踵側から見た図である。
【００１４】
このように、本発明によれば、足を回内方向に回転させる力を少なくとも踵部に付与可能となる。そのため、本発明のシューズを着用すれば、足が自由に動く接地前（「遊脚期」ともいう。）には、図３（ａ）に示すように足を回内方向に回転させる力がかかるため、通常は回外した状態にあり、踵の外側から着地する足を（図３（ｂ）の左側に示す状態）、接地前から中間位（回内も回外もしていない状態）に近い状態とし（図３（ｂ）の右側に示す状態）、その状態で踵を着地させることができる。ここで、図３（ａ）および図３（ｂ）では、上段に、足の状態を後方から見た写真を示し、下段に、上段の写真をそれぞれ模式的に表した図を示している。なお、本発明において、踵部サポートライン部１０１の足を回内方向に回転させる力は、少なくとも踵部に付与されれば、足の動きを改善することができるが、本発明はこれに限られず、足全体に力が付与されてもよい。
【００１５】
一方、足が接地すると、踵部に体重がかかる。そして、本発明において、踵側サポートライン部１０１は、前述のとおり足裏側を通っているため、足が接地すると踵側サポートライン部１０１が踵に踏まれる。このとき踵側サポートライン部１０１に荷重がかかり、踵側サポートライン部１０１が足を回内方向に回転させる力は妨げられる。そのため、足が接地した後（「立脚期」ともいう。）には、足が回内方向に回転させられることはなく、踵側サポートライン部１０１よって足の回内が助長されることはない。このように、本発明のシューズにおける踵側サポートライン部は、立脚期の足の動きに悪影響を与えることはない。
【００１６】
図４に、本発明のシューズを着用して走行または歩行した際の足の動きを説明する図を示す。図４左側の図は、本発明のシューズを着用して走行または歩行した際の、足にかかる左右方向への力を白抜き矢印で示しており、同図においてＡおよびＢで示す箇所に対応する、後方から見た足の状態を、図４右側のＡおよびＢに示している。図４右側のＺ、ＡおよびＢにおいて、それぞれ、左側は、後方から見た足の状態を示す写真であり、右側は、左側の写真を模式的に表した図である。前述のように、通常、走行および歩行時には足が左右にぶれるが（図２２参照）、本発明のシューズによれば、接地前から足が中間位に近い状態となり（図４右側にＺで示す状態）、その状態で踵を着地させ（図４右側にＡで示す状態）、そのまま踵全体をほぼまっすぐに接地させることができる（図４右側にＢで示す状態）。そして、足の左右へのぶれの中でも特に着地時の踵部のぶれが大きいため（図２２参照）、図４に示すように接地前に足が中間位に近い状態になるように足の動きが改善されることで、その後に起こる前足部側での足の左右へのぶれも軽減される。このように、本発明のシューズによれば、走行および歩行時の一連の足の動きを改善して足の左右へのぶれを軽減することができる。そのため、本発明のシューズを着用すると、走行および歩行に理想的な足の動きを実現することができ、走行および歩行の効率が良くなるとともに、関節および筋肉への負担が軽減され、疲労の軽減およびランニング障害の予防につながる。
【００１７】
本発明において、踵側サポートライン部１０１の外側端部１０１Ａは、前記領域Ｒ１内に配置されていればよいが、特に、図５（ａ）に示す、外果下端Ｕを通る仮想鉛直線（ｉｖ）と、踵骨最上端と最下端の中間を通る仮想水平線（ｖ）との交点Ｖに配置されていることが好ましい。また、踵側サポートライン部１０１の内側端部１０１Ｂは、前記領域Ｒ２内に配置されていればよいが、特に、図５（ｂ）に示す舟状骨粗面の位置Ｗに配置されていることが好ましい。これにより、足を回内方向に回転させる力を効率よく及ぼすことができる。
【００１８】
図１（ａ）に示すように、本実施形態において、踵側サポートライン部１０１の外側端部１０１Ａは、シューズ１００の踵部１０７の外側の表面に配置されている。そして、踵側サポートライン部１０１は、シューズ１００の上部構造体１０３とソール１０４との間を通り、内側端部１０１Ｂが、図１（ｂ）に示すようにシューズ１００の踵部１０７の内側の表面に配置されている。ここで、「上部構造体」とは、シューズにおけるソールよりも上側の構成部材をいう。ただし、本発明において、踵側サポートライン部１０１のシューズにおける配置はこれに限られない。本発明において、踵側サポートライン部１０１は、例えば、甲布の下側、または、履口の内部など、シューズの内部に配置されていてもよい。また、例えば、踵側サポートライン部１０１は、外側端部１０１Ａがシューズの内部に配置され、インソールの下をとおり、シューズの踵部１０７の内側に穴を設けて通し、内側端部１０１Ｂが本実施形態と同様にシューズの踵部１０７の表面に配置されていてもよい。このように、本発明において、踵側サポートライン部は、着用時における前記領域Ｒ１に該当する位置から、足裏側をとおり、前記領域Ｒ２に該当する位置にかけて配置されるように、シューズに設けられていればよい。
【００１９】
前述のように、本実施形態において、踵側サポートライン部１０１は、シューズ１００の上部構造体１０３とソール１０４との間を通っている。これにより、踵側サポートライン部１０１の耐久性、防水性を高めることができる。
【００２０】
シューズがヒールカップを含む場合には、踵側サポートライン部１０１の外側端部１０１Ａは、ヒールカップに固定されていることが好ましい。剛性の高いヒールカップに固定されることにより、踵側サポートライン部１０１が、足を回内方向に回転させる力を効率よく及ぼすことができる。
【００２１】
本実施形態において、踵側サポートライン部１０１の外側端部１０１Ａは、シューズ１００の踵部１０７の外側に固定されている。一方、踵側サポートライン部１０１の内側端部１０１Ｂは、シューズ１００の踵部１０７の内側に固定されず、着脱可能となっている。図６に、本実施形態における踵側サポートライン部１０１の内側端部１０１Ｂの拡大図を示す。図６に示すように、本実施形態において、踵側サポートライン部１０１の内側端部１０１Ｂには連結係止部１０５が設けられ、シューズ１００に着脱可能となっている。これにより、シューズ１００を履く際および脱ぐ際には、踵側サポートライン部１０１の内側端部１０１Ｂをシューズ１００から取り外して踵側サポートライン部１０１を緩めることができ、シューズ１００を履いた後に、踵側サポートライン部１０１を内側に引っ張って伸ばした状態で内側端部１０１Ｂをシューズ１００に取り付けることができるため、シューズを履きやすく、また、脱ぎやすくなる。ここで、「端部」とは、先端部を含む先端部近傍をいう。
【００２２】
連結係止部１０５は、特に制限されないが、例えば、ホック（例えば、フック・アンド・アイ（鈎ホック））、面ファスナー、グリッパー、ボタン、紐などを、デザインまたは用途に応じて適宜選択して使用することができる。また、内側端部１０１Ｂにジョイント部材を設けて、着脱可能としてもよい。
【００２３】
本実施形態では、連結係止部１０５としてホックが使用され、図６に示すように、複数の留め位置を設けて着脱位置が調整可能となっている。このように、踵側サポートライン部１０１の内側端部１０１Ｂのシューズ１００への着脱位置が調整可能であると、着用者の足の形態、または、走り方の特徴等に合わせて、足を回内方向に回転させる力の強弱を調節することができる。なお、連結係止部１０５として面ファスナーなどを使用したり、サポートライン部の長さを調整する機構を設けると、足を回内方向に回転させる力の強弱を無段階に調節可能となるため、より好ましい。ただし、本発明において、踵側サポートライン部１０１の内側端部１０１Ｂは、足を回内方向に回転させる力の強弱を調整できない構成であってもよい。また、本実施形態では、踵側サポートライン部１０１の内側端部１０１Ｂは、前述のようにシューズ１００に固定されず着脱可能としているが、本発明はこれに限られず、内側端部１０１Ｂをシューズ１００に固定しても良い。
【００２４】
本実施形態において、踵側サポートライン部１０１は、帯状部材である。ただし、本発明において、踵側サポートライン部はこれに限られない。踵側サポートライン部は、例えば、図７（ａ）および図７（ｂ）に示すように、紐状の部材が複数本束になって形成されていてもよい。
【００２５】
本発明において、踵側サポートライン部の弾性力は、特に制限されないが、例えば、９．０Ｎ〜３０．０Ｎの範囲が好ましく、より好ましくは１１．２３Ｎ〜１８．４１Ｎの範囲である。本発明において、踵側サポートライン部に使用する素材は、弾性部材であれば特に制限されないが、例えば、ポリウレタンとナイロン、ポリウレタンとポリエステル、もしくは、ポリエステルと天然ゴム等からなる帯状部材（テープ）または紐状部材等があげられる。また、本発明において、踵側サポートライン部の幅は特に制限されないが、例えば、１ｃｍ〜５ｃｍの範囲が好ましく、より好ましくは２ｃｍ〜３ｃｍの範囲である。
【００２６】
本実施形態では、ランニングシューズを例に挙げて説明したが、本発明はこれに限られず、ウォーキングシューズにも適用可能である。
【００２７】
（着用客観評価）
図１に示すタイプの本発明の第１の実施形態に係るシューズ１００を作製し、着用評価を行った。本評価では、被験者１名（２６歳男性）が前記シューズ１００を着用して走行した際の、足の左右へのぶれを測定した。本評価において、足の左右へのぶれは、床反力計を用いて走行時の左右方向の床反力を計測することによって測定した。また、比較例として、踵側サポートライン部を有さないシューズについても、同様にして、足の左右へのぶれを測定した。
【００２８】
その結果を、図１７のグラフに示す。図１７において、実線のグラフは、本発明のシューズ１００の結果を示し、破線のグラフは、踵側サポートライン部を有さないシューズの結果を示す。図１７において、縦軸は、０を基準に上側（矢印Ｊ１の方向）は足の内側へのぶれを示し、下側（矢印Ｊ２の方向）は足の外側へのぶれを示す。そして、横軸は、時間を示し、矢印Ｊ３の方向に従って着地時から時間が経過している。図１７に示すように、本発明のシューズを着用した場合、踵側サポートライン部を有さないシューズを着用した場合と比較して、足の左右へのぶれが軽減されている。これにより、本発明のシューズ１００によれば、足の左右へのぶれが軽減できることがわかった。
【００２９】
（第２の実施形態）
図８に、本発明の第２の実施形態に係るシューズ２００を示す。本実施形態のシューズ２００は、ランニングシューズである。図８（ａ）は、シューズ２００の外側面図であり、図８（ｂ）は、シューズ２００の内側面図であり、図８（ｃ）は、シューズ２００を上方向から見た図であり、図８（ｄ）は、シューズ２００を底部側から見た図である。図８（ａ）〜（ｄ）に示すように、本実施形態のシューズ２００は、踵側サポートライン部１０１と、前足部側サポートライン部２０２とを含む。ここで、「前足部」とは、踵よりも前側の足の部分とする。なお、図８（ｄ）では、踵側サポートライン部１０１および前足部側サポートライン部２０２の配置がわかるように、ソール１０４を破線で簡略化して表している。
【００３０】
図８（ａ）〜（ｃ）に示すように、本実施形態において、前足部側サポートライン部２０２は、前足部内側前方から、甲部を通って、前足部外側後方にかけて配置されている。そして、図８（ｄ）に示すように、本実施形態において、前足部側サポートライン部２０２の内側端部２０２Ａの先端部２０２Ａ´は、足裏側に結合されている。ここで、「前足部内側前方」、「甲部」、「前足部外側後方」および「足裏側」とは、身体の部位を基準としており、「外側」とは足の小指側をいい、「内側」とは足の親指側をいい、「前方」とはつま先側をいい、「後方」とは踵側をいう。図９に人体の右足の骨格を模式的に表した図を示し、前足部側サポートライン部２０２の位置を具体的に説明する。図９（ａ）は、人体の右足の骨格を内側から見た図であり、図９（ｂ）は、外側から見た図である。本実施形態において、前足部側サポートライン部２０２の内側端部２０２Ａは、第一基節骨の長軸方向の中点Ｐより後方、かつ、第一中足骨頭Ｑ後端より前方の領域Ｒ３内で、少なくとも先端部２０２Ａ´が足裏側に結合されるように配置されている。また、前足部側サポートライン部２０２の外側端部２０２Ｂは、第五中足骨の長軸方向の中点Ｘより後方、かつ、立方骨近位端Ｙより前方、かつ、第四中足骨内側縁Ｚより外側の領域Ｒ４内に配置されている。そして、本実施形態において、前足部側サポートライン部２０２は弾性部材であり、弾性力によって、足の外側後方から内側前方に向けてかかる力を少なくとも前足部に付与可能である。
【００３１】
前記足の外側後方から内側前方に向けてかかる力は、以下のようにして生じる。前足部側サポートライン部２０２の内側端部２０２Ａをシューズ２００に取り付け、外側後方に向けて引っ張って伸ばした状態で外側端部２０２Ｂをシューズ２００に取り付ける。取り付け位置においては、外側端部２０２Ｂに比べてソールと結合されている内側端部２０２Ａの方が、剛性が高いため、前足部側サポートライン部２０２には、図８（ｃ）に矢印Ｅ２で示すような内側端部２０２Ａ方向に向けて元に戻ろうとする弾性力が生じ、この弾性力が、足の外側後方から内側前方に向けてかかる力となる。
【００３２】
このように、本実施形態によれば、足の外側後方から内側前方に向けてかかる力を少なくとも前足部に付与可能である。そのため、本実施形態のシューズ２００を着用すれば、図１０（ａ）に示すように、前足部に外側後方から内側前方に向けて力がかかるため、通常は、踵全体が接地した後、足に回外方向の力がかかって荷重が外側にぶれながら前方に移動するところ（図１０（ｂ）の左側に示す状態）、荷重が外側にぶれるのを防いでまっすぐに前足部に体重をかけることができる（図１０（ｂ）の右側に示す状態）。また、前足部に外側後方から内側前方に向けてかかる力が作用することで、蹴り出しを補助することもできる。なお、本実施形態において、前足部側サポートライン部２０２の足の外側後方から内側前方に向けてかかる力は、少なくとも前足部に付与されれば、図１０（ｂ）の右側に示すように足の動きを改善することができるが、本発明はこれに限られず、足全体に力が付与されてもよい。
【００３３】
図１１に、本実施形態のシューズ２００を着用して走行または歩行した際の足の動きを説明する図を示す。図１１左側の図は、本実施形態のシューズ２００を着用した際の、接地時から蹴り出し時に至るまでの足にかかる左右方向への力を白抜き矢印で示しており、同図においてＡからＤで示す各箇所に対応する、後方から見た足の状態を、図１１右側のＡからＤに示している。図１１右側のＺおよびＡからＤにおいて、それぞれ、左側は、後方から見た足の状態を示す写真であり、右側は、左側の写真を模式的に表した図である。本実施形態のシューズ２００は、踵側サポートライン部１０１と、前足部側サポートライン部２０２とを有する。そのため、本実施形態のシューズ２００によれば、まず、踵側サポートライン部１０１の作用により、接地前から足が中間位に近い状態となり（図１１右側にＺで示す状態）、その状態で踵を着地させ（図１１右側にＡで示す状態）、そのまま踵全体をほぼまっすぐに接地させることができる（図１１右側にＢで示す状態）。そして、前足部側サポートライン部２０２の作用により、荷重が外側にぶれるのを防いで前足部にまっすぐに体重が移動し（図１１右側にＣで示す状態）、足の親指での蹴り出しにつながる（図１１右側にＤで示す状態）。このように、本実施形態のシューズ２００によれば、前足部側サポートライン部２０２によって前足部にも足の動きを改善する力が働くため、走行および歩行時の足の左右へのぶれを軽減する効果がより高まる。また、本実施形態のシューズ２００によれば、蹴り出しを補助する効果も得られるため、より走行または歩行しやすくなる。
【００３４】
本実施形態において、前足部側サポートライン部２０２の内側端部２０２Ａの先端部２０２Ａ´は、前記領域Ｒ３内で足裏側に結合されていればよいが、特に、図１２（ａ）に示す母趾球の位置Ｇの足裏側に結合されていることが好ましい。また、前足部側サポートライン部２０２の外側端部２０２Ｂは、前記領域Ｒ４内に配置されていればよいが、特に、図１２（ｂ）に示す第５中足骨粗面の位置Ｈに配置されていることが好ましい。これにより、足の外側後方から内側前方に向けてかかる力を効率よく及ぼすことができる。
【００３５】
図８（ｂ）に示すように、本実施形態において、前足部側サポートライン部２０２の内側端部２０２Ａは、シューズ２００の前足部２０６の内側前方に配置されている。本実施形態において、前記内側端部２０２Ａの先端部２０２Ａ´は、図８（ｂ）および図８（ｄ）に示すように上部構造体１０３とソール１０４との間の足裏側に配置されている。そして、前足部側サポートライン部２０２は、シューズ２００の前足部２０６の甲部を通り、外側端部２０２Ｂは、シューズ２００の前足部２０６の外側後方に配置されている。ただし、本発明において、前足部側サポートライン部２０２のシューズにおける配置はこれに限られず、前足部側サポートライン部２０２は、シューズの内部に配置されていてもよい。このように、前足部サポートライン部は、着用時における前記領域Ｒ３に該当する位置から、甲部をとおり、前記領域Ｒ４に該当する位置にかけて配置されるように、シューズに設けられていればよい。
【００３６】
本実施形態において、前足部側サポートライン部２０２の内側端部２０２Ａの先端部２０２Ａ´は、前述のように上部構造体１０３とソール１０４との間の足裏側に配置されているが、本発明はこれに限られない。前記先端部２０２Ａ´は、例えば、上部構造体１０３とソール１０４との間に回り込まず、図１３（ａ）および図１３（ｂ）に示すように、ソール１０４に結合されるように配置されていてもよい。このように、前足部側サポートライン部２０２の内側端部２０２Ａの先端部２０２Ａ´が、前記領域Ｒ３内でシューズにおける足裏側の部材に結合されていれば、前記内側端部２０２Ａを支点として足の外側後方から内側前方に向けてかかる力を効率よく及ぼすことができる。
【００３７】
本実施形態において、前足部側サポートライン部２０２の内側端部２０２Ａは、シューズ２００に固定されている。一方、前足部側サポートライン部２０２の外側端部２０２Ｂは、シューズ２００に固定されず、着脱可能となっている。図１４に、本実施形態における前足部側サポートライン部２０２の外側端部２０２Ｂの拡大図を示す。図１４に示すように、本実施形態において、前足部側サポートライン部２０２の外側端部２０２Ｂには連結係止部２０８が設けられ、シューズ２００に着脱可能となっている。これにより、シューズ２００を履く際および脱ぐ際には、前足部側サポートライン部２０２の外側端部２０２Ｂをシューズ２００から取り外して前足部側サポートライン部２０２を緩めることができ、シューズ２００を履いた後に、前足部側サポートライン部２０２を外側後方に引っ張って伸ばした状態で外側端部２０２Ｂをシューズ２００に取り付けることができるため、シューズを履きやすく、また、脱ぎやすくなる。なお、ここで、「端部」とは、先端部を含む先端部近傍をいう。
【００３８】
連結係止部２０８は、特に制限されないが、例えば、ホック（例えば、フック・アンド・アイ（鈎ホック））、面ファスナー、グリッパー、ボタン、紐などを、デザインまたは用途に応じて適宜選択して使用することができる。また、外側端部２０２Ｂにジョイント部材を設けて、着脱可能としてもよい。
【００３９】
本実施形態では、連結係止部２０８としてホックが使用され、図１４に示すように、複数の留め位置を設けて着脱位置が調整可能となっている。このように、前足部側サポートライン部２０２の外側端部２０２Ｂのシューズ２００への着脱位置が調整可能であると、着用者の足の形態、または、走り方の特徴等に合わせて、足の外側後方から内側前方に向けてかかる力の強弱を調節することができる。なお、連結係止部２０８として面ファスナーなどを使用したり、サポートライン部の長さを調整する機構を設けると、足の外側後方から内側前方に向けてかかる力の強弱を無段階に調節可能となるため、より好ましい。ただし、本発明において、前足部側サポートライン部２０２の外側端部２０２Ｂは、足の外側後方から内側前方に向けてかかる力の強弱を調整できない構成であってもよい。また、本実施形態では、前足部側サポートライン部２０２の外側端部２０２Ｂは、前述のようにシューズ２００に固定されず着脱可能としているが、本発明はこれに限られず、外側端部２０２Ｂをシューズ２００に固定しても良い。
【００４０】
本実施形態において、前足部側サポートライン部２０２は、帯状部材である。ただし、本発明において、前足部側サポートライン部はこれに限られない。前足部側サポートライン部２０２は、例えば、図１５（ａ）および図１５（ｂ）に示すように、紐状の部材が複数本束になって形成されていてもよい。
【００４１】
本発明において、前足部側サポートライン部の弾性力は、特に制限されないが、例えば、９．０Ｎ〜３０．０Ｎの範囲が好ましく、より好ましくは１１．２３Ｎ〜１８．４１Ｎの範囲である。本発明において、前足部側サポートライン部に使用する素材は、弾性部材であれば特に制限されないが、例えば、ポリウレタンとナイロン、ポリウレタンとポリエステル、もしくは、ポリエステルと天然ゴム等からなる帯状部材（テープ）または紐状部材等があげられる。また、前足部側サポートライン部は、ゴムもしくは樹脂を甲布に塗布して形成されていてもよいし、甲布の生地の編み構造を部分的に変更し前足部側サポートライン部に該当する部分の弾性力を大きくすることで形成されていてもよい。本発明において、前足部側サポートライン部の幅は特に制限されないが、例えば、１ｃｍ〜５ｃｍの範囲が好ましく、より好ましくは２ｃｍ〜３ｃｍの範囲である。なお、本発明において、前足部側サポートライン部と踵側サポートライン部とは、同じ素材で形成されていてもよいし、異なる素材で形成されていてもよい。
【００４２】
（着用客観評価）
［評価１］
図８に示すタイプの本発明の第２の実施形態に係るシューズ２００を作製し、着用評価を行った。本評価では、被験者１名（２６歳男性）が前記シューズ２００を着用して走行した際の、足の左右へのぶれを測定した。本評価において、足の左右へのぶれは、床反力計を用いて走行時の左右方向の床反力を計測することによって測定した。また、比較例として、踵側サポートライン部および前足部側サポートライン部を有さないシューズについても、同様にして、足の左右へのぶれを測定した。
【００４３】
その結果を、図１８のグラフに示す。図１８において、実線のグラフは、本発明のシューズ２００の結果を示し、破線のグラフは、踵側サポートライン部および前足部側サポートライン部を有さないシューズの結果を示す。図１８において、縦軸は、０を基準に上側（矢印Ｊ１の方向）は足の内側へのぶれを示し、下側（矢印Ｊ２の方向）は足の外側へのぶれを示す。そして、横軸は、時間を示し、矢印Ｊ３の方向に従って着地時から時間が経過している。図１８に示すように、本発明のシューズを着用した場合、踵側サポートライン部および前足部側サポートライン部を有さないシューズを着用した場合と比較して、足の左右へのぶれが軽減されている。これにより、本発明のシューズ２００によれば、足の左右へのぶれが軽減できることがわかった。
【００４４】
［評価２］
図８に示すタイプの本発明の第２の実施形態に係るシューズ２００を作製し、着用評価を行った。本評価では、被験者６名（２６歳〜４７歳の男女）が前記シューズ２００を着用して走行した際の、足の左右へのぶれを測定した。そして、着地期および蹴り出し期それぞれについて、足の左右ぶれの大きさの全被験者の平均値を求めた。本評価において、足の左右へのぶれは、床反力計を用いて走行時の左右方向の床反力を計測することによって測定した。また、比較例として、踵側サポートライン部および前足部側サポートライン部を有さないシューズについても、同様にして、足の左右へのぶれを測定し、着地期および蹴り出し期それぞれの平均値を求めた。そして、踵側サポートライン部および前足部側サポートライン部を有さないシューズの結果を１００％としたときの、本発明のシューズ２００の結果の割合を求めた。
【００４５】
その結果を、図１９のグラフに示す。図１９（ａ）は、着地期の結果を示し、図１９（ｂ）は、蹴り出し期の結果を示す。図１９（ａ）および図１９（ｂ）において、それぞれ、左側のバー（白）は、踵側サポートライン部および前足部側サポートライン部を有さないシューズを着用した場合を示し、右側のバー（黒）は、本発明のシューズ２００を着用した場合を示す。図１９（ａ）に示すように、踵側サポートライン部および前足部側サポートライン部を有さないシューズを着用した場合の、着地期の足のぶれを１００％とすると、本発明のシューズ２００を着用した場合の足のぶれは、８３％であった。また、図１９（ｂ）に示すように、踵側サポートライン部および前足部側サポートライン部を有さないシューズを着用した場合の、蹴り出し期の足のぶれを１００％とすると、本発明のシューズ２００を着用した場合の足のぶれは、９２％であった。これにより、本発明のシューズ２００によれば、足の左右へのぶれが軽減できることがわかった。
【００４６】
［評価３］
図８に示すタイプの本発明の第２の実施形態に係るシューズ２００を作製し、着用評価を行った。本評価では、被験者３１名（１８歳〜２２歳の男女）それぞれについて、前記シューズ２００を着用して走行した際の、足の左右へのぶれの最大幅を測定し、全被験者の平均値を求めた。本評価において、足の左右へのぶれは、インソール型の圧力計を用いて荷重中心の軌跡を計測することによって測定した。また、比較例として、踵側サポートライン部および前足部側サポートライン部を有さないシューズについても、同様にして、足の左右へのぶれの最大幅を測定し、平均値を求めた。
【００４７】
その結果を、図２０のグラフに示す。図２０において、左側のバーαは、踵側サポートライン部および前足部側サポートライン部を有さないシューズの結果であり、右側のバーβは、本発明のシューズ２００の結果である。図２０に示すように、踵側サポートライン部および前足部側サポートライン部を有さないシューズを着用した場合と比較して、本発明のシューズ２００を着用した場合は、足の左右へのぶれの最大幅が小さくなった。これにより、本発明のシューズ２００によれば、足の左右へのぶれが軽減できることがわかった。
【００４８】
［評価４］
図８に示すタイプの本発明の第２の実施形態に係るシューズ２００を作製し、着用評価を行った。本評価では、被験者３１名（１８歳〜２２歳の男女）に前記シューズ２００を着用してランニングマシンで走行してもらい、持久走能力を測定した。本評価では、ランニングマシンの速度を徐々に上げながら被験者の呼気ガスを計測して、無酸素性作業閾値を算出し、持久走能力の指標とした。また、比較例として、踵側サポートライン部および前足部側サポートライン部を有さないシューズを着用した場合についても、同様にして、持久走能力を測定した。
【００４９】
その結果を、図２１のグラフに示す。図２１において、左側のバーγは、踵側サポートライン部および前足部側サポートライン部を有さないシューズの結果であり、右側のバーθは、本発明のシューズ２００の結果である。図２１に示すように、踵側サポートライン部および前足部側サポートライン部を有さないシューズを着用した場合と比較して、本発明のシューズ２００を着用した場合は、持久走能力の指標が向上した。この結果は、前記評価１〜３と考え合わせると、本発明のシューズ２００が、足の左右へのぶれを軽減させ、走行の効率を良くすることを示すものであるといえる。
【００５０】
（着用主観評価）
図８に示すタイプの本発明の第２の実施形態に係るシューズ２００を作製し、着用評価を行った。本評価では、被験者３１名（１８歳〜２２歳の男女）に前記シューズ２００を着用して２０分走ってもらい、感想を求めた。
【００５１】
その結果、「足が左右にぶれない感じがした」、「あまり力を使わなくても走れた」、「楽で疲れにくかった」との回答が得られた。これにより、本発明のシューズ２００によれば、足の左右へのぶれが軽減されること、効率的に走れること、楽に走れること、疲れにくくなることなどを実感できることがわかった。
【００５２】
（第３の実施形態）
図１６に、本発明の第３の実施形態に係るシューズ３００を示す。本実施形態のシューズ３００は、ランニングシューズである。図１６（ａ）は、シューズ３００の外側面図であり、図１６（ｂ）は、シューズ３００の内側面図であり、図１６（ｃ）は、シューズ３００を上方向から見た図である。
【００５３】
図１６（ａ）〜（ｃ）に示すように、本実施形態において、前足部側サポートライン部２０２は、シューズの甲布３０９の下側を通っている。その他は、前記第２の実施形態と同様である。このように、前足部側サポートライン部がシューズの表面を通らず、甲布の下側を通ることにより、例えばシューズが物にあたった際に前足部側サポートライン部へひっかかるのを防ぐことができる。また、前足部側サポートライン部をデザイン性のある甲布で覆うことにより、シューズ全体のデザイン性を高めることができる。
【００５４】
本実施形態では、前足部側サポートライン部２０２の外側端部２０２Ｂは、甲布３０９で覆われていない。これにより、連結係止部２０８によるシューズへの着脱がしやすくなっている。ただし、本発明はこれに限られず、前足部側サポートライン部は、全体が甲布の下側に配置されていてもよい。
【００５５】
以上、本発明の具体例として、ランニングシューズをあげて本発明を説明したが、本発明のシューズは、これらの具体例で記載されたもののみに限定されるものではなく、種々の態様が可能である。例えば、本発明は、ウォーキングシューズその他の各種シューズに適用できる。
【産業上の利用可能性】
【００５６】
本発明のシューズは、走行および歩行時の一連の足の動きを改善して足の左右へのぶれを軽減することができるため、その用途は限定されず広い分野で使用することができる。
【符号の説明】
【００５７】
１００、２００、３００  シューズ（ランニングシューズ）
１０１    踵側サポートライン部
１０１Ａ  踵側サポートライン部の外側端部
１０１Ｂ  踵側サポートライン部の内側端部
２０２    前足部側サポートライン部
２０２Ａ  前足部側サポートライン部の内側端部
２０２Ａ´  前足部側サポートライン部の内側端部の先端部
２０２Ｂ  前足部側サポートライン部の外側端部
１０３  上部構造体
１０４  ソール
１０５、２０８  連結係止部
１０７    シューズの踵部
２０６    シューズの前足部
３０９    甲布
【図１】
0005696958.tif 000002
【図２】
0005696958.tif 000003
【図５】
0005696958.tif 000004
【図６】
0005696958.tif 000005
【図７】
0005696958.tif 000006
【図８】
0005696958.tif 000007
【図９】
0005696958.tif 000008
【図１０】
0005696958.tif 000009
【図１２】
0005696958.tif 000010
【図１３】
0005696958.tif 000011
【図１４】
0005696958.tif 000012
【図１５】
0005696958.tif 000013
【図１６】
0005696958.tif 000014
【図１７】
0005696958.tif 000015
【図１８】
0005696958.tif 000016
【図１９】
0005696958.tif 000017
【図２０】
0005696958.tif 000018
【図２１】
0005696958.tif 000019
【図３】
0005696958.tif 000020
【図４】
0005696958.tif 000021
【図１１】
0005696958.tif 000022
【図２２】
0005696958.tif 000023